(57)【要約】【課題】画像処理装置の利用を許可されたユーザがサーバの利用指示を入力してから当該サーバが利用可能になるまでの時間を短縮すること。【解決手段】サーバと通信する通信部と、画像処理部と、入力を受け付ける受付部と、制御部と、を備え、制御部は、受付部によって受け付けられた第１の認証情報が認証条件を満たす場合に当該画像処理装置を装置の使用許諾状態であるログイン状態にするログイン処理（Ｓ１０１）と、ログイン処理によって当該画像処理装置をログイン状態にした場合（Ｓ１０１でＹＥＳの場合）に、受付部によってサーバの利用指示の入力が受け付けられるのを待つことなくサーバに利用許可を要求する第１の要求処理（Ｓ１０３）と、サーバの利用が許可され、且つ、受付部によって利用指示の入力が受け付けられた場合に、画像処理部とサーバとを用いた画像処理を実行する制御処理と、を実行する、画像処理装置。【選択図】図６
2014215956.tif 000002
【特許請求の範囲】
【請求項１】
画像処理装置であって、
サーバと通信する通信部と、
画像処理部と、
入力を受け付ける受付部と、
制御部と、
を備え、
前記制御部は、
前記受付部によって受け付けられた第１の認証情報が認証条件を満たす場合に当該画像処理装置を装置の使用許諾状態であるログイン状態にするログイン処理と、
前記ログイン処理によって当該画像処理装置をログイン状態にした場合に、前記受付部によって前記サーバの利用指示の入力が受け付けられるのを待つことなく前記サーバに利用許可を要求する第１の要求処理と、
前記サーバの利用が許可され、且つ、前記受付部によって前記利用指示の入力が受け付けられた場合に、前記画像処理部と前記サーバとを用いた画像処理を実行する制御処理と、
を実行する、画像処理装置。
【請求項２】
請求項１に記載の画像処理装置であって、
前記制御部は、前記サーバに利用許可を要求するか否かの設定を受け付ける設定処理を実行し、
前記第１の要求処理において、前記サーバに利用許可を要求する設定がされているか否かを判断し、利用許可を要求する設定がされている場合は前記サーバに利用許可を要求して、利用許可を要求する設定がされていない場合は前記サーバに利用許可を要求しない、画像処理装置。
【請求項３】
請求項１又は請求項２に記載の画像処理装置であって、
前記制御部は、前記第１の要求処理において、前記画像処理を実行可能な状態であるか実行不能な状態であるかを判断し、実行可能な状態である場合は前記サーバに利用許可を要求して、実行不能な状態である場合は前記サーバに利用許可を要求しない、画像処理装置。
【請求項４】
請求項１乃至請求項３のいずれか一項に記載の画像処理装置であって、
当該画像処理装置は複数のサーバと通信可能であり、
前記制御部は、前記第１の要求処理において、過去の利用回数が多い前記サーバから利用回数が少ない前記サーバの順に利用許可を要求する、画像処理装置。
【請求項５】
請求項１乃至請求項４のいずれか一項に記載の画像処理装置であって、
前記制御部は、前記サーバの利用が許可された後に、前記画像処理を実行可能な状態から実行不能な状態に遷移したかを判断し、実行不能な状態に遷移した場合は前記サーバの利用を終了する利用終了処理を実行する、画像処理装置。
【請求項６】
請求項５に記載の画像処理装置であって、
前記制御部は、前記利用終了処理によって前記サーバの利用を終了した後に、前記画像処理を実行不能な状態から実行可能な状態に遷移したかを判断し、実行可能な状態に遷移した場合は前記サーバに利用許可を再要求する再要求処理を実行する、画像処理装置。
【請求項７】
請求項１乃至請求項６のいずれか一項に記載の画像処理装置であって、
前記制御部は、
前記ログイン処理によって当該画像処理装置をログイン状態にした場合に、前記サーバを利用するための第２の認証情報が前記第１の認証情報に対応付けられて記憶装置に記憶されているか否かを判断する記憶判断処理を実行し、
前記記憶判断処理によって記憶されていると判断された場合は、前記第１の要求処理において、前記第２の認証情報を前記サーバに送信して利用許可を要求し、
前記記憶判断処理によって記憶されていないと判断された場合は、前記第１の要求処理を実行せず、前記受付部を介して前記第２の認証情報の入力を受け付ける認証情報受付処理と、前記認証情報受付処理によって受け付けられた前記第２の認証情報を前記サーバに送信して利用許可を要求する第２の要求処理と、前記認証情報受付処理によって受け付けられた前記第２の認証情報を前記第１の認証情報に対応付けて前記記憶装置に記憶させる記憶処理と、を実行する、画像処理装置。
【請求項８】
請求項１乃至請求項７のいずれか一項に記載の画像処理装置であって、
新着情報を報知する報知部を備え、
前記制御部は、
前記サーバの利用が許可された場合に、前記サーバから前記報知部による新着情報の報知に関する情報を取得し、前記報知部を制御して前記新着情報を報知させる報知処理を実行する、画像処理装置。
【請求項９】
サーバと画像処理装置とを備える画像処理システムであって、
前記画像処理装置は、
前記サーバと通信する通信部と、
画像処理部と、
入力を受け付ける受付部と、
制御部と、
を備え、
前記制御部は、
前記受付部によって受け付けられた第１の認証情報が認証条件を満たす場合に当該画像処理装置を装置の使用許諾状態であるログイン状態にするログイン処理と、
前記ログイン処理によって当該画像処理装置をログイン状態にした場合に、前記受付部によって前記サーバの利用指示の入力が受け付けられるのを待つことなく前記サーバに利用許可を要求する第１の要求処理と、
前記サーバの利用が許可され、且つ、前記受付部によって前記利用指示の入力が受け付けられた場合に、前記画像処理部と前記サーバとを用いた画像処理を実行する制御処理と、
を実行する、画像処理システム。
【発明の詳細な説明】
【技術分野】
【０００１】
サーバと画像処理装置とを用いた画像処理を実行する技術に関する。
【背景技術】
【０００２】
従来、ユーザが画像形成装置にログインすると、ウェブサービスを利用するための画面が表示され、その画面でユーザがウェブサービスを選択すると、ウェブサービスにログインするためのサービスログイン情報が送信されてウェブサービスへのログインが行われる技術が知られている（例えば特許文献１参照）。
【先行技術文献】
【特許文献】
【０００３】
【特許文献１】特開２００８−２８２２１６号公報
【発明の概要】
【発明が解決しようとする課題】
【０００４】
ところで、サービスログイン情報を送信してからログインが完了するまでには時間を要する。このため従来の技術によると、ユーザはウェブサービスを選択してからそのウェブサービスが利用可能になるまで待たされるという問題がある。
本明細書では、画像処理装置の使用を許諾されたユーザがサーバの利用指示を入力してから当該サーバが利用可能になるまでの時間を短縮する技術を開示する。
【課題を解決するための手段】
【０００５】
本明細書によって開示される画像処理装置は、画像処理装置であって、サーバと通信する通信部と、画像処理部と、入力を受け付ける受付部と、制御部と、を備え、前記制御部は、前記受付部によって受け付けられた第１の認証情報が認証条件を満たす場合に当該画像処理装置を装置の使用許諾状態であるログイン状態にするログイン処理と、前記ログイン処理によって当該画像処理装置をログイン状態にした場合に、前記受付部によって前記サーバの利用指示の入力が受け付けられるのを待つことなく前記サーバに利用許可を要求する第１の要求処理と、前記サーバの利用が許可され、且つ、前記受付部によって前記利用指示の入力が受け付けられた場合に、前記画像処理部と前記サーバとを用いた画像処理を実行する制御処理と、を実行する。
【０００６】
上記画像処理装置によると、サーバの利用指示の入力が受け付けられるのを待ってサーバに利用許可を要求する場合に比べ、画像処理装置の使用を許諾されたユーザがサーバの利用指示を入力してからサーバが利用可能になるまでの時間を短縮することができる。
【０００７】
また、前記制御部は、前記サーバに利用許可を要求するか否かの設定を受け付ける設定処理を実行し、前記第１の要求処理において、前記サーバに利用許可を要求する設定がされているか否かを判断し、利用許可を要求する設定がされている場合は前記サーバに利用許可を要求して、利用許可を要求する設定がされていない場合は前記サーバに利用許可を要求しないようにしてもよい。
【０００８】
サーバを利用しない場合にもサーバに利用許可を要求するとサーバとの間で無駄な通信が行われてしまう。上記画像処理装置によると、サーバを利用しない場合はサーバに利用許可を要求しないよう設定しておくことにより、サーバとの無駄な通信を低減できる。
【０００９】
また、前記制御部は、前記第１の要求処理において、前記画像処理を実行可能な状態であるか実行不能な状態であるかを判断し、実行可能な状態である場合は前記サーバに利用許可を要求して、実行不能な状態である場合は前記サーバに利用許可を要求しないようにしてもよい。
【００１０】
画像処理部とサーバとを用いた画像処理を実行不能な場合にもサーバに利用許可を要求するとサーバとの間で無駄な通信が行われてしまう。上記画像処理装置によると、画像処理を実行不能な状態である場合はサーバに利用許可を要求しないので、サーバとの無駄な通信を低減できる。
【００１１】
また、当該画像処理装置は複数のサーバと通信可能であり、前記制御部は、前記第１の要求処理において、過去の利用回数が多い前記サーバから利用回数が少ない前記サーバの順に利用許可を要求してもよい。
【００１２】
上記画像処理装置によると、過去の利用回数が多いサーバから利用回数が少ないサーバの順に利用許可を要求するので、過去の利用回数が多いサーバを、過去の利用回数が少ないサーバよりも早い時点で利用可能な状態とすることができる。
【００１３】
また、前記制御部は、前記サーバの利用が許可された後に、前記画像処理を実行可能な状態から実行不能な状態に遷移したかを判断し、実行不能な状態に遷移した場合は前記サーバの利用を終了する利用終了処理を実行してもよい。
【００１４】
上記画像処理装置によると、画像処理を実行不能な状態に遷移した場合にサーバとの無駄な通信を低減できる。
【００１５】
また、前記制御部は、前記利用終了処理によって前記サーバの利用を終了した後に、前記画像処理を実行不能な状態から実行可能な状態に遷移したかを判断し、実行可能な状態に遷移した場合は前記サーバに利用許可を再要求する再要求処理を実行してもよい。
【００１６】
上記画像処理装置によると、画像処理を実行不能な状態から実行可能な状態に遷移した場合はサーバに利用許可を再要求するので、その後にユーザがサーバの利用指示を入力したとき、サーバが利用可能になるまでの時間を短縮できる。
【００１７】
また、前記制御部は、前記ログイン処理によって当該画像処理装置をログイン状態にした場合に、前記サーバを利用するための第２の認証情報が前記第１の認証情報に対応付けられて記憶装置に記憶されているか否かを判断する記憶判断処理を実行し、前記記憶判断処理によって記憶されていると判断された場合は、前記第１の要求処理において、前記第２の認証情報を前記サーバに送信して利用許可を要求し、前記記憶判断処理によって記憶されていないと判断された場合は、前記第１の要求処理を実行せず、前記受付部を介して前記第２の認証情報の入力を受け付ける認証情報受付処理と、前記認証情報受付処理によって受け付けられた前記第２の認証情報を前記サーバに送信して利用許可を要求する第２の要求処理と、前記認証情報受付処理によって受け付けられた前記第２の認証情報を前記第１の認証情報に対応付けて前記記憶装置に記憶させる記憶処理と、を実行してもよい。
【００１８】
上記画像処理装置によると、入力された第２の認証情報を第１の認証情報に対応付けて記憶するので、次回以降にサーバの利用指示を入力した場合に、第２の認証情報の入力が不要となる。これによりユーザの利便性が向上する。
【００１９】
また、新着情報を報知する報知部を備え、前記制御部は、前記サーバの利用が許可された場合に、前記サーバから前記報知部による新着情報の報知に関する情報を取得し、前記報知部を制御して前記新着情報を報知させる報知処理を実行してもよい。
【００２０】
上記画像処理装置によると、ユーザはサーバに関する情報を知ることができる。
【発明の効果】
【００２１】
上記の画像処理装置によると、画像処理装置の使用を許諾されたユーザがサーバの利用指示を入力してから当該サーバが利用可能になるまでの時間を短縮することができる。
【図面の簡単な説明】
【００２２】
【図１】実施形態１に係る画像処理システムの模式図。
【図２】複合機の電気的構成を簡略化して示すブロック図。
【図３】ユーザ管理テーブルを示す模式図。
【図４】複合機のユーザインタフェースを示す模式図。
【図５】制御部によって実行されるプロセスを示す模式図。
【図６】ログイン処理のフローチャート。
【図７】自動サインイン処理のフローチャート。
【図８】手動サインイン処理のフローチャート。
【図９】サインアウト処理のフローチャート。
【発明を実施するための形態】
【００２３】
＜実施形態１＞
実施形態１を図１ないし図９によって説明する。
（１）画像処理システムの構成
先ず、図１を参照して、実施形態１に係る画像処理システム１の構成について説明する。画像処理システム１は画像処理装置としての複合機２と複数のサーバ３（３ａ〜３ｆ）とを備えて構成されている。複合機２とサーバ３とはＬＡＮ（Ｌｏｃａｌ  Ａｒｅａ  Ｎｅｔｗｏｒｋ）やインターネットなどの通信回線４を介して通信可能に接続されている。なお、図１ではインターネットを介して接続されている場合を示している。
【００２４】
複合機２は、印刷機能、画像読取機能、コピー機能などの複数の機能を備える装置である。なお、複合機２はこの他にファクシミリ機能などの他の機能を備えていてもよい。
サーバ３は、通信回線４を介して複合機２などのクライアント装置に各種のサービスを提供するコンピュータである。ここではサービスとして次に説明するプリントサービス、及び、画像格納サービスを例に説明する。
【００２５】
プリントサービスとは、複合機２などの印刷装置から印刷対象の画像データの送信を要求されると、保存している画像データを印刷装置に送信するサービスである。
画像格納サービスとは、通信回線４に接続されているクライアント装置から受信した画像データを保存するサービスである。
【００２６】
複合機２は、後述する印刷部１８（図２参照）や画像読取部１９（図２参照）などの画像処理部とサーバ３とを用いた画像処理を実行可能に構成されている。
具体的には、複合機２はプリントサービスを提供するプリントサーバ３と印刷部１８とを用いた画像処理（以下、印刷部１８とプリントサービスとを用いた画像処理と記す）、及び、画像格納サービスを提供する画像格納サーバ３と画像読取部１９とを用いた画像処理（以下、画像読取部１９と画像格納サービスとを用いた画像処理と記す）を実行可能に構成されている。
【００２７】
印刷部１８とプリントサービスとを用いた画像処理とは、プリントサーバ３に画像データの送信を要求し、プリントサーバ３から受信した画像データが表す画像を印刷部１８に印刷させる処理である。
画像読取部１９と画像格納サービスとを用いた画像処理とは、画像読取部１９によって原稿を読み取って画像データを生成し、生成した画像データを画像格納サーバ３に送信する処理である。
【００２８】
（２）複合機へのログイン、及び、サービスへのサインイン
複合機２を使用するためには、ユーザは予め複合機２に登録してあるユーザ識別情報とパスワードとを複合機２に入力して複合機２にログインする必要がある。複合機２は入力されたユーザ識別情報とパスワードとが認証条件を満たすか否かを判断し、認証条件を満たす場合はログインの認証に成功したとして複合機２を装置の使用許諾状態であるログイン状態にする一方、認証条件を満たさない場合は複合機２をログイン状態にしない。認証条件を満たすとは、具体的にはそのユーザ識別情報とパスワードとの組み合わせが後述するユーザ管理テーブル２２（図３参照）に登録されていることをいう。
以降の説明では複合機２にログインするためのユーザ識別情報及びパスワードのことをログイン情報という。ログイン情報は第１の認証情報の一例である。
【００２９】
同様に、上述したサービスを利用するためには、ユーザは予めサーバ３に登録してあるユーザ識別情報とパスワードとをサーバ３に送信してサービスにサインインする必要がある。ここで、ユーザ識別情報とパスワードとはサービス毎に登録されており、ユーザは利用するサービス毎にサインインする必要がある。サーバ３は受信したユーザ識別情報とパスワードとを用いて認証を行い、認証に成功した場合はサービスの利用を許可する一方、認証に失敗した場合はサービスの利用を許可しない。
【００３０】
以降の説明ではサービスにサインインするためのユーザ識別情報及びパスワードのことをサインイン情報という。サインイン情報は第２の認証情報の一例である。また、サーバ３にサインイン情報を送信することはサーバ３に利用許可を要求することの一例である。
なお、ここではログインとサインインとを区別して説明するが、これらは実質的には同じ意味である。
【００３１】
（３）複合機の電気的構成
次に、図２を参照して、複合機２の電気的構成について説明する。複合機２は制御部１１、表示部１６、操作部１７、印刷部１８、画像読取部１９、通信インタフェース部２０、記憶部２１、及び、計時部２３を備えて構成されている。
【００３２】
制御部１１はＣＰＵ１２、ＲＯＭ１３、ＲＡＭ１４、ＡＳＩＣ１５などを備えて構成されている。ＣＰＵ１２はＲＯＭ１３や記憶部２１に記憶されている制御プログラムを実行することによって複合機２の各部を制御する。ＲＯＭ１３にはＣＰＵ１２によって実行される制御プログラムや各種のデータなどが記憶されている。ＲＡＭ１４はＣＰＵ１２が各種の処理を実行するための主記憶装置として用いられる。
【００３３】
表示部１６は、液晶ディスプレイ、液晶ディスプレイを駆動する駆動回路などを備えて構成されている。表示部１６は報知部の一例である。
操作部１７は、液晶ディスプレイを覆うタッチパネル、複数の操作ボタンなどを備えている。ユーザは操作部１７を操作することによって各種の指示や情報を入力することができる。なお、操作部１７はタッチパネルを備えず操作ボタンのみによって操作を受け付ける構成であってもよい。操作部１７は受付部の一例である。
【００３４】
印刷部１８はプリントサーバ３から受信した画像データ、画像読取部１５によって生成された画像データなどが表す画像を印刷用紙などのシートに電子写真方式やインクジェット方式などで印刷する。印刷部１８は画像処理部の一例である。
画像読取部１９は原稿を照射する光源やイメージセンサなどを備えており、原稿を読み取って画像データを生成する。画像読取部１９は画像処理部の一例である。
【００３５】
通信インタフェース部２０は、複合機２を通信回線４に接続するためのハードウェアである。通信インタフェース部２０は通信部の一例である。
記憶部２１は、ハードディスクやフラッシュメモリなどの不揮発性のメモリを用いて各種のプログラムやデータを記憶する装置である。記憶部２１にはユーザ管理テーブル２２（図３参照）や各サービスにサインインした履歴などが記憶される。記憶部２１は記憶装置の一例である。なお、制御部１１にフラッシュメモリを設け、そのフラッシュメモリを記憶装置として用いてもよい。
計時部２３は現在時刻を計時するものである。
【００３６】
なお、複合機２はＵＳＢメモリなどのＵＳＢマスストレージデバイスが着脱可能に接続されるＵＳＢホストインタフェース部や、各種のリムーバブルメモリの規格に応じた形状のメモリスロットを有するメモリカードリーダを備えていてもよい。
【００３７】
（４）ユーザ管理テーブル
次に、図３を参照して、記憶部２１に記憶されているユーザ管理テーブル２２について説明する。ユーザ管理テーブル２２には、ユーザ毎に、ログイン情報、利用許可機能、印刷上限枚数、累積印刷枚数、サービス毎のサインイン情報が登録されている。
【００３８】
利用許可機能は、複合機２が備える各機能についてそのユーザが利用を許可されているか否かを示す情報である。図中において可は利用が許可されていることを示しており、不可は利用が許可されていないことを示している。
印刷上限枚数は、そのユーザが印刷可能な上限枚数である。なお、印刷上限枚数は部門単位などで設定されてもよい。
【００３９】
累積印刷枚数は、そのユーザが印刷した累積の枚数である。ユーザが印刷を実行させるとその印刷に用いた印刷用紙の枚数が累積印刷枚数に加算される。累積印刷枚数が印刷上限枚数に達するとそのユーザはそれ以上の印刷が禁止される。
累積印刷枚数は例えば複合機２の管理者によって０にリセットされる。累積印刷枚数が０にリセットされるとユーザは再び印刷が可能となる。なお、一日当たりの印刷上限枚数を設定するような場合は予め設定されている時刻に達すると複合機２が自動で累積印刷枚数を０にリセットする構成であってもよい。
【００４０】
次に、ログイン情報、及び、サインイン情報の登録について説明する。ログイン情報は複合機２の管理者によってユーザ管理テーブル２２に登録される。これに対し、サインイン情報はユーザによって登録される。ただし、サービスによってはユーザが未だサインイン情報を登録していない場合もある。サインイン情報の登録についての説明は後述する。
【００４１】
なお、ここではユーザ毎、且つ、サービス毎にサインイン情報を登録する場合を例に説明するが、一つのサインイン情報を全てのサービスに共通に用いる構成であってもよい。また、サインイン情報は複数のユーザによって共有されてもよい。
【００４２】
（５）複合機のユーザインタフェース
次に、図４を参照して、複合機２のユーザインタフェースについて説明する。ユーザがログインしていないとき、複合機２は表示部１６にログイン画面３０を表示させた状態で待機する。ログイン画面３０でユーザがログイン情報を入力すると、複合機２はそのログイン情報を用いてログインの認証を行い、その認証に成功すると表示部１６に初期画面３１を表示させる。初期画面３１が表示されることによってユーザは複合機２を使用可能となる。
【００４３】
初期画面３１には機能を選択するための機能ボタン３２（３２ａ〜３２ｆ）が表示される。ここでいう機能には印刷機能、画像読取機能、コピー機能の他、画像処理部とサービスとを用いた画像処理を実行する機能も含まれる。ただし、理解を容易にするため、図４では画像処理部とサービスとを用いた画像処理を実行する機能のみを示している。
【００４４】
図４に示す例では６つの機能ボタン３２を示している。これらの機能ボタン３２のうち「Ａ社画像格納サービス」ボタン３２ａは、Ａ社が提供する画像格納サービスと画像読取部１９とを用いた画像処理を実行する機能を選択するためのボタンである。「Ｂ社画像格納サービス」ボタン３２ｃ、及び、「Ｃ社画像格納サービス」ボタン３２ｅについても同様である。
【００４５】
また、「Ａ社プリントサービス」ボタン３２ｂは、Ａ社が提供するプリントサービスと印刷部１８とを用いた画像処理を実行する機能を選択するためのボタンである。「Ｂ社プリントサービス」ボタン３２ｄ、及び、「Ｃ社プリントサービス」ボタン３２ｆについても同様である。
初期画面３１で機能ボタン３２を選択することは、サーバ３の利用指示を入力することの一例である。
【００４６】
ところで、サーバ３にサインイン情報を送信してからサインインが完了するまでにはある程度の時間を要する。このため、初期画面３１で機能ボタン３２が選択されてからサーバ３にサインイン情報を送信したとすると、ユーザは機能ボタン３２を選択してからサービスを利用可能になるまで待たされてしまう。
そこで、詳しくは後述するが、複合機２は、ログインの認証に成功すると、初期画面３１で機能ボタン３２が選択されるのを待つことなくサーバにサインイン情報を送信する。
【００４７】
初期画面３１において丸で囲まれた２や３などの情報３３、３４は新着情報である。新着情報とは、前回そのサービスを利用した後にサーバ３に新たに保存された画像データの数のことをいう。ここでは新着情報はサーバ３によってサービス毎に管理されているものとする。
複合機２はサーバ３からサービス毎に新着情報の報知に関する情報を取得し、その情報によって表される新着情報を、そのサービスを利用する機能を選択するための機能ボタン３２の上に重ねて表示させる。上述したように複合機２は初期画面３１で機能ボタン３２が選択されるのを待つことなくサービスにサインインするので、機能ボタン３２の上にはユーザがその機能ボタン３２を選択する前に新着情報が表示される。
【００４８】
初期画面３１において網掛けされている機能ボタン３２ａ及び３２ｄは、未だサインインされていないサービスを利用するための機能ボタン３２であることを示している。
例えば前述したようにサービスによってはユーザ管理テーブル２２に未だサインイン情報が登録されていない場合もある。サインイン情報が登録されていないサービスについてはサーバ３にサインイン情報を送信できないので、複合機２は未だサインインしていないことをユーザに案内するために、そのサービスを利用する機能を選択するための機能ボタン３２を網掛け表示する。
【００４９】
網掛けされている機能ボタン３２が選択された場合は、複合機２はサインイン画面３５を表示させる。サインイン画面３５でユーザがサインイン情報を入力すると、複合機２はそのサインイン情報をサーバ３に送信してサービスにサインインするとともに、入力されたサインイン情報をユーザ管理テーブル２２に登録する。
【００５０】
なお、既にユーザ管理テーブル２２にサインイン情報が登録されているサービスを利用する機能であっても、そのサービスが、後述する自動サインインを行う設定がされていないサービスである場合もある。その場合も未だサービスにサインインしていないので機能ボタン３２が網掛け表示される。
ただし、その場合はその機能ボタン３２を選択してもサインイン情報の入力は要求されず、ユーザ管理テーブル２２に登録されているサインイン情報がサーバ３に送信されてサインインが行われる。
【００５１】
（６）自動サインインの設定、及び、手動サインイン
自動サインインとは、ユーザが複合機２にログインしたときに初期画面３１で機能ボタン３２が選択されるのを待つことなくサーバ３にサインイン情報を送信してサービスにサインインすることをいう。
各ユーザは自動サインインを行うか否かを、表示部１６に表示される図示しない設定画面で予めサービス毎に設定しておくことができる。それにより、各ユーザは自身がログインしたときに特定のサービスについてのみ自動サインインが行われるようにすることができる。ＣＰＵ１２が設定画面を表示させて自動サインインの設定を受け付ける処理は設定処理の一例である。
【００５２】
自動サインインを行わないサービスについては、複合機２はそのサービスを利用する機能ボタン３２が選択されたときにサインインする。以降の説明では自動サインインを行わないサービスを利用する機能ボタン３２が選択されたときにサインインすることを手動サインインという。
【００５３】
なお、手動サインインが行われるのは自動サインインを行わないサービスを利用する機能の機能ボタン３２が選択されたときだけではない。手動サインインが行われるケースとしては以下の３つのケースがある。
【００５４】
（ケース１）ユーザ管理テーブル２２にサインイン情報が登録されているが、自動サインインを行わない設定がされていることによって自動サインインされていないサービスを利用する場合。
（ケース２）自動サインインを行う設定はされているが、ユーザ管理テーブル２２にサインイン情報が登録されていないことによって自動サインインされなかったサービスを利用する場合。
（ケース３）ユーザ管理テーブル２２にサインイン情報が登録されておらず、且つ、自動サインインを行う設定もされていないサービスを利用する場合。
【００５５】
（７）制御部によって実行される処理
次に、図５を参照して、制御部１１によって実行される処理についてより具体的に説明する。制御部１１は制御プログラムを実行することにより、ログインプロセス４１、初期画面表示プロセス４２、画像処理制御プロセス４３、サインアウトプロセス４４、及び、ログアウトプロセス４５を実行する。図中の矢印は呼び出し関係、データの流れ、又は、その両方を示している。
なお、制御部１１はこれら以外のプロセスも実行するが、ここでは他のプロセスについての説明は省略する。以下、上述した各プロセスについて説明する。
【００５６】
ログインプロセス４１は、ユーザがログインしていないときにログイン画面３０を表示させ、ログイン画面３０で入力されたログイン情報を用いてログインの認証を行うログイン処理を実行するプロセスである。
【００５７】
初期画面表示プロセス４２は、初期画面３１を表示する処理、ログインプロセス４１やサインアウトプロセス４４から新着情報の報知に関する情報が出力された場合にその情報によって表される新着情報を機能ボタン３２の上に表示させる処理、自動サインインされているサービスを利用する機能ボタン３２が選択された場合に画像処理制御プロセス４３を起動する処理、自動サインインされていないサービスを利用する機能ボタン３２が選択された場合に手動サインインする手動サインイン処理などを実行する。
【００５８】
また、初期画面表示プロセス４２は、初期画面３１で図示しないログアウトボタンが選択されると、又は、ログアウトプロセス４５から一定時間操作が受け付けられなかった旨を通知されると、現在ログインしているユーザのログアウト処理を実行する。
【００５９】
画像処理制御プロセス４３は、画像処理部とサービスとを用いた画像処理を実行するプロセスである。画像処理制御プロセス４３は、初期画面３１で自動サインインされているサービスを利用する機能ボタン３２が選択された場合や手動サインイン処理が実行された場合に呼び出される。画像処理制御プロセス４３によって実行される処理は制御処理の一例である。
ここで、自動サインインを行った場合であっても、そのサインインが完了する前に初期画面３１で機能ボタン３２が選択される可能性もある。その場合は、画像処理制御プロセス４３はサインインが完了するのを待って機能を実行するものとする。
【００６０】
サインアウトプロセス４４は、自動サインインあるいは手動サインインによってサービスへのサインインが成功した後、画像処理部とサービスとを用いた画像処理を実行できなくなった場合に、サービスからサインアウトするサインアウト処理を実行するプロセスである。サインアウトとはサーバ３にサービスの利用終了を宣言することをいう。
【００６１】
ここで、画像処理部とサービスとを用いた画像処理を実行できなくなった場合とは、サービスを用いた機能が実行不能な状態に遷移した場合などである。サービスを用いた機能が実行不能な状態とは、例えばプリントサービスの場合は印刷部１８が印刷不能な状態であることをいう。印刷不能な状態とは、着色剤の残量が基準量未満である、印刷用紙がセットされていない、印刷用紙の搬送ジャムが発生している、累積印刷枚数が印刷上限枚数に達しているなどである。
【００６２】
また、例えば画像格納サービスの場合は、画像読取部１９が画像を読み取り不能な状態であることをいう。読み取り不能な状態とは、ＡＤＦ（Ａｕｔｏ  Ｄｏｃｕｍｅｎｔ  Ｆｅｅｄｅｒ）に原稿がセットされていない、原稿台に載置されている原稿を抑える原稿カバーが開いたままになっているなどである。
以降の説明ではサービスへのサインインが成功した後に画像処理部とサービスとを用いた画像処理を実行できなくなったことをサインアウト条件が成立したという。
【００６３】
ログアウトプロセス４５は、操作部１７を監視し、一定時間操作が行われなかった場合にその旨を初期画面表示プロセス４２に通知するプロセスである。
【００６４】
（７−１）ログイン処理
図６を参照して、ログインプロセス４１によって実行されるログイン処理の流れについて説明する。ここではログイン画面３０でログイン情報が入力されたところから説明する。
Ｓ１０１では、ＣＰＵ１２は入力されたログイン情報が認証条件を満たすか否かを判断する。具体的には、ＣＰＵ１２はログイン画面３０で入力されたユーザ識別情報とパスワードとの組み合わせがユーザ管理テーブル２２に登録されているか否かを判断し、登録されている場合に認証条件を満たすと判断する。ＣＰＵ１２は、認証条件を満たす場合はログインの認証に成功したとしてＳ１０２に進み、認証条件を満たさない場合は認証に失敗したとして処理を終了する。
【００６５】
Ｓ１０２では、ＣＰＵ１２は初期画面表示プロセス４２、サインアウトプロセス４４、及び、ログアウトプロセス４５を起動する。
Ｓ１０３では、ＣＰＵ１２は自動サインイン処理を実行する。
【００６６】
なお、上述したフローチャートでは自動サインイン処理を実行する前に初期画面表示プロセス４２、サインアウトプロセス４４、及び、ログアウトプロセス４５を起動する場合を説明したが、これらのプロセスの一部又は全部は自動サインイン処理の後に起動されてもよい。
【００６７】
次に、図７を参照して、Ｓ１０３で実行される自動サインイン処理の流れについて説明する。
【００６８】
Ｓ２０１では、ＣＰＵ１２はサインインするサービス、及び、サインインする順序を決定する。以下、具体的に説明する。
先ず、サインインするサービスの決定について説明する。ＣＰＵ１２は、具体的には以下の（条件ａ）〜（条件ｄ）を全て満たすサービスを、サインインするサービスとして決定する。
【００６９】
（条件ａ）ユーザ管理テーブル２２にサインイン情報が登録されているサービス
ユーザ管理テーブル２２にサインイン情報が登録されていないサービスはサインインの対象から除外される。ユーザ管理テーブル２２にサインイン情報が登録されているか否かを判断する処理は記憶判断処理の一例である。
【００７０】
（条件ｂ）機能の利用が許可されているサービス
ここでいう機能とは画像処理部とサービスとを用いた画像処理を実行する機能のことではなく、印刷機能、画像読取機能、及び、コピー機能のことである。
例えばＡ社が提供するプリントサービスは印刷部１８を用いるサービスである。この場合、現在ログインしているユーザに対して印刷部１８の利用が許可されていなければプリントサービスと印刷部１８とを用いることができない。このような場合にもＡ社が提供するプリントサービスにサインインすると、複合機２とプリントサーバ３との間で無駄な通信が行われてしまう。このような無駄を低減するため、現在ログインしているユーザに対して利用が許可されていない機能を用いるサービスはサインインの対象から除外される。
【００７１】
（条件ｃ）自動サインインを行う設定がされているサービス
前述した図示しない設定画面で自動サインインを行う設定がされていないサービスはサインインの対象から除外される。
【００７２】
（条件ｄ）機能の現在の状態が実行可能な状態であるサービス
実行不能な状態の機能はサービスを用いることができない。このため、そのような機能を用いるサービスはサインインの対象から除外される。
【００７３】
次に、サインインする順序の決定について説明する。複合機２はサインインする順序を各サービスにサインインした履歴に基づいて決定する。具体的には例えば、ＣＰＵ１２は過去１ヶ月間におけるサインイン回数が多いサービスから少ないサービスの順にサインインするよう順序を決定する。以下、具体的に説明する。
【００７４】
ＣＰＵ１２は、初期画面３１で機能ボタン３２が選択される毎に計時部２３から現在の年月日時分秒を示す現在時刻を取得し、現在ログインしているユーザのユーザＩＤと、選択された機能ボタン３２に対応する機能で利用されるサービスを示すサービス識別情報と、計時部２３から取得した現在時刻とを対応付けて記憶部２１に履歴として記憶する。
そして、ＣＰＵ１２は、現在ログインしているユーザのユーザＩＤが対応付けられている履歴を参照して、サインインするサービス毎に過去１カ月間におけるそのユーザのサインイン回数を集計する。そして、ＣＰＵ１２は、サインイン回数が多いサービスから少ないサービスの順にサインインするよう順序を決定する。
【００７５】
なお、過去１カ月間におけるサインイン回数は、１カ月当たりの利用頻度ということもできる。また、ここでは過去１カ月間におけるサインイン回数を例に説明するが、この期間は適宜に決定することができる。また、期間を考慮せず、ユーザがサービスを利用し始めてからの総サインイン回数を用いてもよい。あるいは、サインイン回数を用いず、最後にサインインした年月日時分秒が新しいサービスから先にサインインするよう順序を決定してもよい。また、サインイン回数はユーザ単位ではなく各ユーザがサインインした回数をサービス毎に合計した回数であってもよい。
【００７６】
Ｓ２０２では、ＣＰＵ１２はＳ２０１で決定したサービスの中からサービスを一つ選択する。ＣＰＵ１２はこの選択をＳ２０１で決定した順序で行う。
【００７７】
Ｓ２０３では、ＣＰＵ１２はユーザ管理テーブル２２からＳ２０２で選択したサービスのサインイン情報であって現在ログインしているユーザのユーザ識別情報に対応付けられているサインイン情報を読み出す。そして、ＣＰＵ１２は、読み出したサインイン情報を、そのサービスを提供しているサーバ３に送信する。Ｓ２０３は第１の要求処理の一例である。
サーバ３は複合機２から受信したユーザ識別情報とパスワードとがサーバ３に当該サービスのサインイン情報として登録されているか否かを判断し、登録されている場合にサインインに成功したと判断する。そして、サーバ３は認証の成否を示す認証結果を複合機２に送信する。
【００７８】
Ｓ２０４では、ＣＰＵ１２はサーバ３から受信した認証結果からサインインに成功したか否かを判断する。具体的には、ＣＰＵ１２はサーバ３から受信した認証結果が認証成功を示すものである場合はサインインに成功したと判断する。一方、ＣＰＵ１２は、サーバ３から受信した認証結果が認証失敗を示すものである場合や一定時間が経過してもサーバ３から認証結果を受信しなかった場合はサインインに失敗したと判断する。ＣＰＵ１２は、サインインに成功した場合はＳ２０５に進み、失敗した場合はＳ２０７に進む。
【００７９】
Ｓ２０５では、ＣＰＵ１２はサーバ３からＳ２０２で選択したサービスの新着情報の報知に関する情報を取得する。
Ｓ２０６では、ＣＰＵ１２はＳ２０５で取得した情報によって表される新着情報を初期画面３１に表示させる。具体的には、ＣＰＵ１２は新着情報の報知に関する情報を初期画面表示プロセス４２に出力する。新着情報の報知に関する情報が出力された初期画面表示プロセス４２はＳ２０２で選択されたサービスを利用する機能を選択するための機能ボタン３２の上にその情報によって表される新着情報を表示させる。Ｓ２０６は報知処理の一例である。
【００８０】
Ｓ２０７では、ＣＰＵ１２はＳ２０１で決定したサービスを全て選択したか否かを判断し、全て選択した場合はログイン処理に戻り、未だ選択していないサービスがある場合はＳ２０２に戻って処理を繰り返す。
【００８１】
（７−２）手動サインイン処理
次に、図８を参照して、初期画面表示プロセス４２によって実行される手動サインイン処理の流れについて説明する。本処理は初期画面３１で未だサインインしていないサービスを利用する機能の機能ボタン３２が選択されると開始される。ここで、前述したように手動サインインが行われるケースとしては３つのケースがあるが、ここではユーザ管理テーブル２２にサインイン情報が登録されていないケースである（ケース２）及び（ケース３）の場合を例に説明する。
【００８２】
Ｓ３０１では、ＣＰＵ１２は表示部１６にサインイン画面３５を表示させ、ユーザによってサインイン情報が入力されるまで待機する。Ｓ３０１は認証情報受付処理の一例である。
Ｓ３０２では、ＣＰＵ１２はＳ３０１で入力されたサインイン情報をサーバ３に送信する。Ｓ３０２は第２の要求処理の一例である。
【００８３】
Ｓ３０３では、ＣＰＵ１２はサーバ３から受信した認証結果からサインインに成功したか否かを判断し、サインインに成功した場合はＳ３０４に進み、失敗した場合は本処理を終了する。
Ｓ３０４では、ＣＰＵ１２はサーバ３から当該サービスの新着情報の報知に関する情報を取得する。
【００８４】
Ｓ３０５では、ＣＰＵ１２はＳ３０４で取得した情報が表す新着情報を当該機能ボタン３２の上に表示させる。Ｓ３０６は報知処理の一例である。
Ｓ３０６では、ＣＰＵ１２は画像処理制御プロセス４３を起動する。
Ｓ３０７では、ＣＰＵ１２はＳ３０１で入力されたサインイン情報をユーザ管理テーブル２２に登録する。Ｓ３０７は記憶処理の一例である。
【００８５】
なお、（ケース１）の場合はＳ３０１においてユーザ管理テーブル２２からサインイン情報が取得される点とＳ３０７が実行されない点とを除いて上述した処理と実質的に同一である。
【００８６】
（７−４）サインアウト処理
次に、図９を参照して、サインアウトプロセス４４によって実行されるサインアウト処理の流れについて説明する。サインアウト処理は一定時間間隔で繰り返し実行される処理である。
【００８７】
Ｓ４０１では、ＣＰＵ１２はサインアウト条件が成立したか否かを判断し、成立した場合はＳ４０２に進み、成立していない場合はＳ４０４に進む。
Ｓ４０２では、ＣＰＵ１２はサインアウトの対象のサービスにサインインしているか否かを判定し、サインインしている場合はＳ４０３に進み、サインインしていない場合はＳ４０４に進む。
【００８８】
Ｓ４０３では、ＣＰＵ１２は実行不能な状態に遷移した機能を用いて画像処理を実行するサービスについて、そのサービスを提供するサーバ３に当該サービスからのサインアウトを要求する。例えば印刷機能が実行不能な状態に遷移した場合は、ＣＰＵ１２はＡ社が提供するプリントサービス、Ｂ社が提供するプリントサービス、及び、Ｃ社が提供するプリントサービスからサインアウトする。
上述したＳ４０１〜Ｓ４０３は利用終了処理の一例である。
【００８９】
Ｓ４０４では、ＣＰＵ１２は再サインイン条件が成立したか否かを判断する。再サインイン条件が成立したとは、一端サインアウト条件が成立した後にそのサインアウト条件が成立しなくなったことをいう。
例えば累積印刷枚数が印刷上限枚数に達することによって印刷機能が実行不能な状態に遷移し、それによりＳ４０３でサインアウトされた後、累積印刷枚数が０にリセットされることによって再び印刷機能が実行可能な状態に遷移することもある。その場合はサインアウト条件が成立しなくなる。ＣＰＵ１２は、サインアウト条件が成立しなくなった場合は、再サインイン条件が成立したと判断してＳ４０５に進む。
【００９０】
ただし、ＣＰＵ１２は、Ｓ４０１で一度もサインアウト条件が成立していない場合は、Ｓ４０４の時点でサインアウト条件が成立していなくても再サインイン条件が成立したとは判断しない。これは、再サインインは一旦サインアウトした後に再度サインインするための処理だからである。
【００９１】
Ｓ４０５では、ＣＰＵ１２はサインインするサービスに既にサインインしているか否かを判定し、サインインしていない場合はＳ４０６に進み、サインインしている場合は処理を終了する。
Ｓ４０６では、ＣＰＵ１２はサーバ３に再度サインイン情報を送信してサービスにサインインする。例えば印刷部１８が実行可能な状態に遷移した場合は、ＣＰＵ１２はＡ社プリントサーバ３、Ｂ社プリントサーバ３、及び、Ｃ社プリントサーバ３にサインイン情報を送信して各サーバ３が提供するプリントサービスにサインインする。
上述したＳ４０４〜Ｓ４０６は再要求処理の一例である。
【００９２】
次に説明するＳ４０７〜Ｓ４０９はＳ４０６でサインイン情報を送信したサーバ３毎に実行される処理である。
Ｓ４０７では、ＣＰＵ１２はサーバ３から受信した認証結果からサインインに成功したか否かを判断し、サインインに成功した場合はＳ４０７に進み、失敗した場合は本処理を終了する。
【００９３】
Ｓ４０８では、ＣＰＵ１２はＳ４０６でサインインしたサービスの新着情報の報知に関する情報を取得する。
Ｓ４０９では、ＣＰＵ１２はＳ４０８で取得した情報を初期画面表示プロセス４２に出力する。Ｓ４０９は報知処理の一例である。
【００９４】
（８）実施形態の効果
以上説明した複合機２によると、ログインの認証に成功すると、初期画面３１で機能ボタン３２が選択されるのを待つことなくサービスにサインインするので、機能ボタン３２が選択されるのを待ってサインインする場合に比べ、複合機２の使用を許諾されたユーザが機能ボタン３２を選択してからサービスが利用可能になるまでの時間を短縮することができる。
【００９５】
更に、複合機２によると、自動サインインを行う設定がされていないサービスについては自動サインインを行わない。サービスを利用しない場合にもサービスにサインインするとサーバ３との間で無駄な通信が行われてしまう。複合機２によると、サービスを利用しない場合は自動サインインを行わないよう設定しておくことにより、サーバ３との無駄な通信を低減できる。
【００９６】
更に、複合機２によると、画像処理部とサービスとを用いた画像処理を実行不能な状態である場合はサービスにサインインしない。画像処理部とサービスとを用いた画像処理を実行不能な場合にもサービスにサインインするとサーバ３との間で無駄な通信が行われてしまう。複合機２によると、画像処理を実行不能な状態である場合はサービスにサインインしないので、サーバ３との無駄な通信を低減できる。
【００９７】
更に、複合機２によると、利用回数が多いサービスから利用回数が少ないサービスの順にサインインするので、利用回数が多いサービスを、利用回数が少ないサービスよりも早い時点で利用可能な状態とすることができる。
【００９８】
更に、複合機２によると、画像処理部とサービスとを用いた画像処理を実行不能な状態に遷移した場合はサービスの利用を終了するので、画像処理を実行不能な状態に遷移した場合にサーバ３との無駄な通信を低減できる。
【００９９】
更に、複合機２によると、画像処理部とサービスとを用いた画像処理を実行不能なためサービスの利用を終了した後にその画像処理を実行可能な状態に遷移した場合はサーバ３にサインイン情報を再送信してサービスにサインインするので、その後にユーザが機能を選択したとき、サービスが利用可能になるまでの時間を短縮できる。
【０１００】
更に、複合機２によると、手動サインイン処理によって入力されたサインイン情報をログイン情報に対応付けてユーザ管理テーブル２２に登録するので、次回以降に機能ボタン３２を選択した場合に、サインイン情報の入力が不要となる。これによりユーザの利便性が向上する。
【０１０１】
更に、複合機２によると、機能ボタン３２の上に新着情報を表示するので、ユーザはサービスに関する情報を知ることができる。
【０１０２】
＜他の実施形態＞
上記記述及び図面によって説明した実施形態に限定されるものではなく、例えば次のような実施形態も技術的範囲に含まれる。
【０１０３】
（１）上記実施形態ではログイン画面３０でログイン情報を入力することによってログインする場合を説明した。これに対し、例えばＩＣカード、磁気カード、バーコードが表記されているカードなどの可搬記録媒体からカードＩＤを読み取る読取装置を複合機２に備え、可搬記録媒体から読み取ったカードＩＤを用いてログインの認証を行ってもよい。あるいは指紋などの生体情報を読み取ってログインの認証を行ってもよい。
この場合はカードＩＤや生体情報が第１の認証情報の一例である。また、それらを読み取る読取装置と操作部１７とが受付部の一例である。すなわち、受付部は第１の認証情報を受け付けるための構成と利用指示の入力を受け付けるための構成とが別の構成であってもよい。
【０１０４】
なお、外付けの読取装置を複合機２に接続し、その読取装置を用いてカードＩＤや生体情報を読み取ってもよい。その場合は読取装置を接続するために複合機２に設けられているインタフェースと操作部１７とが受付部の一例である。
【０１０５】
（２）上記実施形態では複合機２が備える記憶部２１にユーザ管理テーブル２２が記憶されている場合を例に説明した。これに対し、ユーザ管理テーブル２２は外部のサーバに記憶されていてもよい。
その場合、複合機２は外部のサーバにログイン情報を送信して認証を要求し、複合機２をログイン状態にするか否かを、外部のサーバから受信した認証結果から判断してもよい。
【０１０６】
（３）上記実施形態ではＳ２０１において現在ログインしているユーザに対して利用が許可されている機能を判断する場合を例に説明した。しかしながら、この判断は行わないようにしてもよい。つまり、ログインの認証に成功したユーザは全ての機能の利用が許可されているとしてもよい。
【０１０７】
（４）上記実施形態では画像処理部とサーバとを用いた画像処理として、印刷部１８とプリントサービスとを用いた画像処理や、画像読取部１９と画像格納サービスとを用いた画像処理を例に説明した。これに対し、これらの画像処理のいずれか一方のみを実行してもよい。
また、複合機２はサーバからデータをダウンロードしてＵＳＢメモリやリムーバブルメモリに記憶させる処理を実行してもよいし、ＵＳＢメモリやリムーバブルメモリに記憶されているデータをサーバにアップロードする処理などを実行してもよい。
【０１０８】
（５）上記実施形態ではサービスにサインインする順序を過去にサインインした履歴に基づいて決定する場合を例に説明した。これに対し、常に決められた順序でサインインしてもよい。
【０１０９】
（６）上記実施形態ではサーバ３によって新着情報が管理されている場合を例に説明した。これに対し、複合機２が新着情報を管理してもよい。
例えば、複合機２は前回サービスにサインインした日時を記憶しておく。そして、複合機２は、今回そのサービスにサインインしたときに、サーバ３から各画像データが保存された日時を取得し、記憶しておいた日時よりも後に保存された画像データの数を新着情報としてもよい。
【０１１０】
あるいは、前回サインインしたときに、サーバ３に記憶されている画像データのファイル名を全て記憶しておき、今回ログインしたときに、ファイル名が記憶されていない画像データの数を新着情報の数としてもよい。
【０１１１】
（７）上記実施形態では新着情報の数を機能ボタン３２の上に表示する場合を例に説明した。これに対し、例えば音声によって新着情報を報知してもよい。
また、上記実施形態では新着情報として画像データの数を報知する場合を例に説明した。しかしながら、新着情報は画像データの数に限られるものではない。例えば新着情報はサーバ３の保守予定日などのユーザに通知すべき情報などであってもよい。
【０１１２】
（８）上記実施形態では手動サインインした際に入力されたサインイン情報をユーザ管理テーブル２２に登録する場合を例に説明した。これに対し、入力されたサインイン情報を登録するか否かをユーザに問い合わせ、ユーザが登録を許可した場合のみ登録するようにしてもよい。
【０１１３】
（９）上記実施形態ではサインアウト条件が成立しなくなった場合に再サインイン条件が成立したと判断する場合を例に説明した。しかしながら、サインアウト条件が成立しなくなっても直ぐには再サインイン条件が成立したとは判断しないようにしてもよい。例えば、サインアウト条件が成立しなくなってからある程度時間が経過した場合に再サインイン条件が成立したと判断してもよい。
【０１１４】
（１０）上記実施形態では制御プログラムによって実行されるプロセスとしてログインプロセス４１、初期画面表示プロセス４２、画像処理制御プロセス４３、サインアウトプロセス４４、及び、ログアウトプロセス４５を例に説明した。しかしながら、これは一例であり、どのようなプロセスを実行するかは適宜に決定できる。
【０１１５】
（１１）上記実施形態ではＣＰＵ１２によって各処理が実行される場合を例に説明した。これに対し、これらの処理の一部はＡＳＩＣ１５によって実行されてもよい。また、制御部１１はＡＳＩＣ１５を備えていなくてもよい。また、制御部１１は複数のＣＰＵを備え、上述した処理を複数のＣＰＵによって分担して実行してもよい。
【０１１６】
（１２）上記実施形態では画像処理装置として複合機２を例に説明した。これに対し、画像処理装置は単機能の印刷装置や画像読取装置であってもよい。
【符号の説明】
【０１１７】
１・・・画像処理システム、２・・・複合機、３（３ａ〜３ｆ）・・・サーバ、１１・・・制御部、１２・・・ＣＰＵ、１６・・・表示部、１７・・・操作部、１８・・・印刷部、１９・・・画像読取部、２０・・・通信インタフェース部、２１・・・記憶部、２２・・・ユーザ管理テーブル、３０・・・ログイン画面、３１・・・初期画面、３２・・・サインイン画面
【図１】
2014215956.tif 000003
【図２】
2014215956.tif 000004
【図３】
2014215956.tif 000005
【図４】
2014215956.tif 000006
【図５】
2014215956.tif 000007
【図６】
2014215956.tif 000008
【図７】
2014215956.tif 000009
【図８】
2014215956.tif 000010
【図９】
2014215956.tif 000011